(57)【要約】電磁波の放出を遮断する平板表示装置を提供する。【課題】【解決手段】平板表示装置は平板表示パネル、第１収納容器、駆動手段、第２収納容器及び接地部材を含む。前記平板表示パネルは映像を表示する。前記第１収納容器は前記平板表示パネルを収納及び固定させる。前記駆動手段は前記第１収納容器の外側面に設けられ、前記平板表示パネルを駆動する。前記第２収納容器は前記駆動手段をカバーし前記駆動手段から発生する電磁波の流出を遮断する。前記接地部材は前記第２収納容器と一体に形成され前記第１収納容器と前記第２収納容器とを電気的に連結する。従って、前記駆動手段から発生される電磁波を遮断する。【選択図】    図１
2004361958.tif 000002
【特許請求の範囲】
【請求項１】
映像を表示する平板表示パネルと、
前記平板表示パネルを収納及び固定させる第１収納容器と、
前記第１収納容器上に設けられ、前記平板表示パネルを駆動するための駆動手段と、
前記駆動手段をカバーし前記駆動手段から発生する電磁波の流出を遮断する第２収納容器と、
前記第２収納容器と一体に形成され前記第１収納容器と前記第２収納容器とを電気的に連結する接地部材と、を含む平板表示装置。
【請求項２】
前記駆動手段は前記平板表示パネルに電気信号を印加する印刷回路基板であることを特徴とする請求項１記載の平板表示装置。
【請求項３】
前記第２収納容器は、底面と、前記底面のエッジから突出形成された側壁と、前記側壁により定義され前記印刷回路基板を収納する収納空間とを含み、前記接地部材は前記側壁と前記第１収納容器との間に配置されることを特徴とする請求項２記載の平板表示装置。
【請求項４】
前記側壁は端部で前記底面と平行な方向に突出された延長部を含み、前記接地部材は前記延長部上に配置されることを特徴とする請求項３記載の平板表示装置。
【請求項５】
前記接地部材はエンボシングパターンを含むことを特徴とする請求項３記載の平板表示装置。
【請求項６】
前記接地部材は延伸された突起を含むことを特徴とする請求項３記載の平板表示装置。
【請求項７】
前記平板表示装置は光を発生させるランプアセンブリと、前記ランプアセンブリから発生された光の特性を向上させる光学シートアセンブリを有するバックライトアセンブリと、をさらに含み、前記平板表示パネルは前記光学シートアセンブリを通過する光の提供を受け基板と基板との間に形成された液晶を用いて映像を表示する液晶表示パネルをさらに含むことを特徴とする請求項１記載の平板表示装置。
【請求項８】
前記駆動手段は前記ランプアセンブリを駆動するためのインバーターであることを特徴とする請求項７記載の平板表示装置。
【請求項９】
前記第２収納容器は底面と、前記底面のエッジから突出形成された側壁と、前記側壁により定義され前記駆動手段を収納する収納空間とを含み、前記接地部材は前記側壁と前記第１収納容器との間に配置されることを特徴とする請求項７記載の平板表示装置。
【請求項１０】
前記接地部材はエンボシングパターンを含むことを特徴とする請求項９記載の平板表示装置。
【請求項１１】
前記接地部材は延伸された突起を含むことを特徴とする請求項９記載の平板表示装置。      
【請求項１２】
映像を表示するディスプレーユニットと、
前記ディスプレーユニットの下部に配置され前記ディスプレーユニットを収用するボトムシャーシと、
前記ボトムシャーシの下部に配置され前記ディスプレーユニットに電気信号を印加する印刷回路基板と、
前記ボトムシャーシの下部に配置され、底面、前記底面のエッジから突出された側壁及び前記側壁により定義され前記印刷回路基板を収用する収納空間を含んで、前記印刷回路基板により発生される電磁気波の流出を遮断する印刷回路基板ケースと、
前記印刷回路基板ケースと一体に形成され、前記側壁と前記ボトムシャーシとの間に配置され前記ボトムシャーシと前記印刷回路基板ケースとを電気的に連結する接地部材と、を含む平板表示装置。
【請求項１３】
前記側壁は端部で前記底面と平行な方向に突出された延長部を含み、前記接地部材は前記延長部上に配置されることを特徴とする請求項１２記載の平板表示装置。      
【請求項１４】
前記接地部材はエンボシングパターンまたは延伸された突起を含むことを特徴とする請求項１２記載の平板表示装置。
【請求項１５】
前記ボトムシャーシの上部に配置され前記ディスプレーユニットを固定するトップシャーシをさらに含むことを特徴とする請求項１２記載の平板表示装置。
【請求項１６】
前記ディスプレーユニットとボトムシャーシとの間に配置され前記ディスプレーユニットに光を提供するバックライトアセンブリと、前記バックライトアセンブリと前記ボトムシャーシとの間に配置され前記バックライトアセンブリを支持するモールドフレームと、をさらに含むことを特徴とする請求項１２記載の平板表示装置。
【請求項１７】
映像を表示するディスプレーユニットと、
前記ディスプレーユニットの下部に配置され前記ディスプレーユニットに光を提供するバックライトアセンブリと、
前記バックライトアセンブリの下部に配置され前記ディスプレーユニット及び前記バックライトアセンブリを収用するボトムシャーシと、
前記ボトムシャーシの下部に配置され前記バックライトアセンブリに電気信号及び電源を印加するインバーターと、
前記ボトムシャーシの下部に配置され、底面、前記底面のエッジから突出された側壁及び前記側壁により定義され前記インバーターを収用する収納空間を含んで、前記インバーターにより発生される電磁気波の流出を遮断する印刷回路基板ケースと、
前記インバーターケースと一体に形成され、前記側壁と前記ボトムシャーシとの間に配置され前記ボトムシャーシと前記インバーターケースとを電気的に連結する接地部材と、を含む平板表示装置。
【請求項１８】
前記側壁は端部で前記底面と平行な方向に突出された延長部を含み、前記接地部材は前記延長部上に配置されることを特徴とする請求項１７記載の平板表示装置。
【請求項１９】
前記接地部材はエンボシングパターンまたは延伸された突起を含むことを特徴とする請求項１７記載の平板表示装置。
【請求項２０】
前記バックライトアセンブリと前記ボトムシャーシとの間に配置され前記バックライトアセンブリを支持するモールドフレームをさらに含むことを特徴とする請求項１７記載の平板表示装置。
【発明の詳細な説明】
【技術分野】
【０００１】
本発明は平板表示装置に関し、より詳細に電磁波の放出を遮断する平板表示装置に関する。
【背景技術】
【０００２】
ＣＲＴ（Ｃａｔｈｏｄｅ  Ｒａｙ  Ｔｕｂｅ）方式の表示装置は、ＴＶ、計測及び制御システム、情報端末機などのモニターに主に利用されている。しかし、このようなＣＲＴ方式表示装置は大きさ及び重さが大きく、消費電力が大きい。
【０００３】
一方、平板表示装置は前記ＣＲＴ方式表示装置より小さくて軽い。前記平板表示装置には、液晶表示装置、プラズマ表示装置、有機電界発光表示装置などがある。前記液晶表示装置は高輝度、高効率、均一な輝度、長い寿命、薄型、軽量化、低費用などの長所がある。
【０００４】
前記液晶表示装置にはタイミング信号、データ信号、駆動信号、映像信号などの電気信号が印加される。前記電気信号の一部は印刷回路基板の集積回路から発生される。前記電気信号により発生された電磁気波は前記液晶表示装置の外部に放出される。
【０００５】
また、前記液晶表示パネルの大きさが増加すると、前記液晶表示パネルに光を提供するバックライトアセンブリの消費電力が増加する。従って、大型液晶表示パネルの駆動信号の振幅が増加して液晶表示装置の外部に放出される電磁気波の強さが増加する。特に、前記集積回路は高周波信号を発生するため、電磁波障害が発生される。
【０００６】
前記電磁波が他の電子機器に照射される場合、電子機器の誤動作を誘発する。また、前記電磁波が人体に照射される場合、病気を誘発する。
【発明の開示】
【発明が解決しようとする課題】
【０００７】
従って、前述したようなことに着目して、本発明の目的は電磁波の放出を遮断するための平板表示装置を提供することにある。
【課題を解決するための手段】
【０００８】
このような本発明の目的を達成するための一実施例による平板表示装置は平板表示パネル、第１収納容器、駆動手段、第２収納容器及び接地部材を含む。前記平板表示パネルは映像を表示する。前記第１収納容器は前記平板表示パネルを収納及び固定させる。前記駆動手段は前記第１収納容器の外側面に設けられ、前記平板表示パネルを駆動する。前記第２収納容器は前記駆動手段をカバーし前記駆動手段から発生する電磁波の流出を遮断する。前記接地部材は前記第２収納容器と一体に形成され前記第１収納容器と前記第２収納容器とを電気的に連結する。
【０００９】
このような本発明の目的を達成するための他の実施例による平板表示装置はディスプレーユニット、ボトムシャーシ、印刷回路基板、印刷回路基板ケース及び接地部材を含む。
【００１０】
前記ディスプレーユニットは映像を表示する。前記ボトムシャーシは前記ディスプレーユニットの下部に配置され前記ディスプレーユニットを収用する。前記印刷回路基板は前記ボトムシャーシの下部に配置され前記ディスプレーユニットに電気信号を印加する。前記印刷回路基板ケースは前記ボトムシャーシの下部に配置され、底面と前記底面のエッジから突出された側壁と前記側壁により定義され前記印刷回路基板を収用する収納空間とを含み、前記電気信号により発生される電磁気波の流出を遮断する。前記接地部材は前記印刷回路基板ケースと一体に形成され、前記側壁と前記ボトムシャーシとの間に配置され前記ボトムシャーシと前記印刷回路基板ケースとを電気的に連結する。
【００１１】
このような本発明の目的を達成するためのさらにまたの実施例による平板表示装置はディスプレーユニット、バックライトアセンブリ、ボトムシャーシ、インバーター、インバーターケース及び接地部材を含む。
【００１２】
前記ディスプレーユニットは映像を表示する。前記バックライトアセンブリは前記ディスプレーユニットの下部に配置され前記ディスプレーユニットに光を提供する。前記ボトムシャーシは前記ディスプレーユニットの下部に配置され前記ディスプレーユニット及びバックライトアセンブリを収用する。前記インバーターは前記ボトムシャーシの下部に配置され前記バックライトアセンブリに電気信号及び電源を印加する。前記インバーターケースは前記インバーターの下部に配置され、底面と前記底面のエッジから突出された側壁及び前記側壁により定義され前記インバーターを収用する収納空間とを含んで前記電気信号及び前記電源により発生される電磁気波の流出を遮断する。前記接地部材は前記インバーターケースと一体に形成され、前記側壁と前記ボトムシャーシとの間に配置され前記ボトムシャーシと前記インバーターケースとを電気的に連結する。
【発明の効果】
【００１３】
このような本発明によると、印刷回路基板やインバーターを収納する収納容器にエンボシング部材を一体に形成して前記収納容器を接地させ平板表示装置から発生される電磁波が外部に放出されることを防止する。
【発明を実施するための最良の形態】
【００１４】
以下、図面を参照して本発明の望ましい一実施例をより詳細に説明する。
【００１５】
＜実施例１＞
図１は本発明の第１実施例による液晶表示装置を示す分解斜視図であり、図２は、図１に示された液晶表示装置を図１の下から見た場合の斜視図であり、また、背面ケースが設けられていない液晶表示装置の背面を示す斜視図である。
【００１６】
図１及び図２に示すように、液晶表示装置１００は映像信号に応じて映像を表示する液晶表示モジュール１３０と液晶表示モジュール１３０を収納するための前面ケース１１０及び背面ケース１２０を含む。
【００１７】
液晶表示モジュール１３０は表示ユニット１７０及びディスプレーユニット１７０に光を提供するバックライトアセンブリ１５０を含む。
【００１８】
ディスプレーユニット１７０は映像が表示される液晶表示パネル１７１、パネル駆動用印刷回路基板１７６及びテープキャリアパッケージ１７４、１７８含む。
【００１９】
前記液晶表示パネル１７１は薄膜トランジスタ基板１７２とカラーフィルター基板１７３及び液晶（図示せず）を含む。
【００２０】
前記薄膜トランジスタ基板１７２のトランジスタのゲート電極及びソース電極にタイミング信号及び駆動信号が印加されると、薄膜トランジスタ基板１７２の画素電極とカラーフィルター基板１７３の共通電極との間には電界が発生する。前記電界により薄膜トランジスタ基板１７２とカラーフィルター基板１７３との間に注入された液晶の傾きが変化され、変化された傾きに応じて光透過度が変更される。
【００２１】
前記液晶表示パネル１７１の液晶の傾きと液晶が配列されるタイミングは、駆動信号及びタイミング信号により制御される。前記タイミング信号はゲートラインを通じて薄膜トランジスタのゲート電極に印加され、前記駆動信号はデータラインを通じて薄膜トランジスタのソース電極に印加される。
【００２２】
データライン及びゲートラインに前記駆動信号及び前記タイミング信号が印加されると、前記駆動信号及び前記タイミング信号はそれぞれの薄膜トランジスタのソース端子とゲート端子にそれぞれ印加される。従って、前記薄膜トランジスタがターンオンまたはターンオフされ、ドレーン電極に電気的な信号が出力される。
【００２３】
前記薄膜トランジスタ基板１７２に対向して前記カラーフィルター基板１７３が具備される。前記カラーフィルター基板１７３は光が通過し所定の色が発現される色画素であるＲＧＢ画素を含む。前記色画素は写真工程またはフォトリソグラフィ工程を通じて形成されることができる。前記カラーフィルター基板１７３の前面にはＩＴＯからなる共通電極が形成される。
【００２４】
前記ディスプレーユニット１７０の下には、前記表示ユニット１７０に均一な光を提供するためのバックライトアセンブリ１５０が具備されている。バックライトアセンブリ１５０は、光を前記ディスプレーユニット１７０の方にガイドするための導光板１５２、前記導光板１５２から出射される光の輝度を均一にするための複数の光学シート類１５３、前記導光板１５２の下に配置され光を発生させるランプ１６２及び前記ランプ１６２の下に配置され前記光を導光板１５２に反射させる反射板１５４を含む。バックライトアセンブリ１５０は、ランプ１６２にランプ駆動信号及び電源を印加するインバーター１６５及びインバーター１６５を被覆するインバーターケース１３９を具備する。
【００２５】
第２エンボシング部材１３９ａは前記インバーターケース１３９に一体に形成される。前記第２エンボシング部材１３９ａは前記インバーターケース１３９と後述のボトムシャーシ１３４との間に配置され、ボトムシャーシ１３４と前記インバーターケース１３９とを電気的に連結する。従って、前記インバーターケース１３９は前記第２エンボシング部材１３９ａ及びボトムシャーシ１３４を通じて接地される。また、前記インバーターケース１３９は外部の衝撃からインバーター１６５を保護する。
【００２６】
本実施例による液晶表示装置は直下型バックライトアセンブリを含む。このとき、前記液晶表示装置が側面導光型バックライトアセンブリを含むこともできる。
【００２７】
ディスプレーユニット１７０はバックライトアセンブリ１５０上に配置される。前記ディスプレーユニット１７０と前記バックライトアセンブリ１５０は、ボトムシャーシ１３４に収用される。モールドフレーム１３２は、前記バックライトアセンブリ１５０と前記ボトムシャーシとの間に配置され前記バックライトアセンブリ１５０を支持する。前記トップシャーシ１４０は、前記モールドフレーム１３２に対向して配置され前記ディスプレーユニット１７０を固定する。
【００２８】
一方、前記印刷回路基板１７６はボトムシャーシ１３４の背面に配置される。前記印刷回路基板１７６はテープキャリアパッケージ１７８を通じて前記液晶表示パネル１７１と電気的に連結される。
【００２９】
印刷回路基板ケース１３８は前記ボトムシャーシ１３４の下部に配置され、前記印刷回路基板１７６を収用して印刷回路基板１７６から発生される電磁気波の流出を遮断する。前記印刷回路基板ケース１３８は底面、前記底面のエッジから突出された側壁及び前記側壁に定義され、前記印刷回路基板１７６を収用する収納空間を含む。また、前記印刷回路基板ケース１３８は外部の衝撃から印刷回路基板１７６を保護する。
【００３０】
第１エンボシング部材１３８ａは、前記印刷回路基板ケース１３８と一体に形成され、前記側壁と前記ボトムシャーシ１３４との間に配置され前記ボトムシャーシ１３４と前記印刷回路基板ケース１３８を電気的に連結する。従って、前記印刷回路基板ケース１３８は前記第１エンボシング部材１３８ａ及び前記ボトムシャーシ１３４を通じて接地される。
【００３１】
前記液晶表示装置１００は、データ印刷回路基板とゲート印刷回路基板が統合された統合印刷回路基板１７６を含む。このとき、液晶表示装置１００が、データ印刷回路基板及び前記データ印刷回路基板に離隔されたゲート印刷回路基板を含むこともできる。前記液晶表示装置１００が前記データ印刷回路基板及び前記データ印刷回路基板に離隔された前記ゲート印刷回路基板を含む場合、前記データ印刷回路基板と前記ゲート印刷回路基板をそれぞれ収納する２つの印刷回路基板ケース及びその印刷回路基板ケースと一体に形成されたエンボシング部材を含んで電磁気波の流出を防止する。
【００３２】
また、前記液晶表示装置が複数の印刷回路基板、前記印刷回路基板をそれぞれ収納する複数の印刷回路基板ケース及び前記印刷回路基板ケースと一体に形成されたエンボシング部材を含むこともできる。
【００３３】
モールドフレーム１３２は絶縁性材質を含む。前記バックライトアセンブリ１５０はランプ１６２、反射板１５４、導光板１５２、光学シート類１５３を含む。前記バックライトアセンブリ１５０は複数のランプを含むこともできる。
【００３４】
このとき、光学シートの上部面にはバックライトアセンブリから発生された光を用いて映像データを表示する液晶表示パネル１７１が配置される。
【００３５】
印刷回路基板１７６の出力端がテープキャリアパッケージ１７８を通じて液晶表示パネル１７１に電気的に連結される。テープキャリアパッケージ１７８はボトムシャーシ１３４の後面に折り曲げられ、前記印刷回路基板１７６がボトムシャーシ１３４の底面に配置される。
【００３６】
一方、ボトムシャーシ１３４の後面上に配置された印刷回路基板１７６は駆動信号を生成する複数の駆動用集積回路１７６ａを含む。
【００３７】
印刷回路基板１７６の駆動用集積回路１７６ａは電磁波を放出する。前記電磁波は前記印刷回路基板ケース１３８のより遮断される。前記遮断された電磁気波は前記印刷回路基板ケース１３８内に誘導電流を発生させる。前記電磁波を遮断する前記印刷回路基板ケース１３８は前記第１エンボシングパターン１３８ａ及び前記ボトムシャーシ１３４を通じて接地される。
【００３８】
印刷回路基板ケース１３８は印刷回路基板１７６の全体を被覆する。このとき、前記印刷回路基板ケース１３８が前記印刷回路基板１７６を部分的に被覆することもできる。
【００３９】
ランプ１６２は、電線１６３を通じてインバーター１６５と電気的に連結する。前記インバーター１６５は前記ランプ１６２に駆動信号及び電源を印加する。前記電線１６３は折曲され前記インバーター１６５が配置されているボトムシャーシ１３４の後面上に配設される。このとき、前記インバーター１６５と前記電線１６３との間にコネクター１６４が配置されることもできる。
【００４０】
前記インバーター１６５も電磁波を放出する。前記電磁波は前記インバーターケース１３９により遮断される。前記遮断された電磁気波は前記インバーターケース１３９内に誘導電流を生成する。前記電磁波を遮断する前記インバーターケース１３９は、前記第２エンボシングパターン１３９ａ及び前記ボトムシャーシ１３４を通じて接地される。
【００４１】
図３は前記第１に示された印刷回路基板ケースを拡大して図示した斜視図である。
【００４２】
図１乃至図３に示すように、印刷回路基板ケース１３８は第１底面１３８ｂ、前記第１底面１３８ｂのエッジから突出された第１側壁１３８ｃ及び前記第１側壁１３８ｃにより定義され前記印刷回路基板１７６を収納する第１収納空間１３８ｅを含む。前記第１側壁１３８ｃは前記第１側壁１３８ｃの端部で前記第１底面１３８ｂと平行な方向に外側に突出された第１延長部１３８ｄを含む。
【００４３】
前記第１エンボシング部材１３８ａは前記第１延長部１３８ｄと一体に形成される。このとき、前記第１延長部１３８ｄが省略され、前記第１エンボシング部材１３８ａが前記第１側壁１３８ｃの端部に配置されることもできる。前記第１エンボシング部材１３８ａは、前記第１延長部１３８ｄ上に配置され前記印刷回路基板ケース１３８と前記ボトムシャーシ１３４とを電気的に連結する。前記第１エンボシング部材１３８ａの形状は、半球（Ｈｅｍｉｓｐｈｅｒｉｃ）形、ポリピラミッド（Ｐｏｌｙｐｙｒａｍｉｄ）形、円柱（ｃｙｌｉｎｄｒｉｃａｌ）形、多角柱（ｐｏｌｙｐｒｉｓｍ）形などを含む。
【００４４】
前記印刷回路基板１７６から発生した電磁気波は、前記印刷回路基板ケース１３８により遮断される。遮断された電磁気波により前記印刷回路基板ケース１３８内に生成された誘導電流は、前記第１エンボシング部材１３８ａ及び前記ボトムシャーシ１３４を通じて接地される。
【００４５】
図４は前記図２に示されたインバーターケースを拡大図示した斜視図である。
【００４６】
図１、図２及び図４に示すように、インバーターケース１３９は第２底面１３９ｂ、前記第２底面１３９ｂのエッジから突出された第２側壁１３９ｃにより定義され、前記インバーター１６５を収納する第２収納空間１３９ｅを含む。前記第２側壁１３９ｃは前記第２側壁１３９ｃの端部で前記第２底面１３９ｂと平行な方向に外側に突出された第２延長部１３９ｄを含む。
【００４７】
前記第２エンボシング部材１３９ａは前記第２延長部１３９ｄ上に配置され前記インバーターケース１３９と前記ボトムシャーシ１３４とを電気的に連結する。このとき、前記第２延長部１３９ｄが省略され、前記第２エンボシング部材１３９ａが前記第２側壁１３９ｃの端部に配置されることもできる。前記第２エンボシング部材１３９ａの形状は、半球（Ｈｅｍｉｓｐｈｅｒｉｃ）形、ポリピラミッド（Ｐｏｌｙｐｙｒａｍｉｄ）形、円柱（ｃｙｌｉｎｄｒｉｃａｌ）形、多角柱（ｐｏｌｙｐｒｉｓｍ）形などを含む。
【００４８】
前記インバーター１６５から発生した電磁気波は、前記インバーターケース１３９により遮断され、前記電磁気波により前記インバーターケース１３９内に生成された誘導電流は前記第２エンボシング部材１３９ａ及び前記ボトムシャーシ１３４を通じて接地される。
【００４９】
従って、前記印刷回路基板ケース１３８と前記ボトムシャーシ１３４との間及び前記インバーターケース１３９と前記ボトムシャーシ１３４との間に、前記エンボシング部材１３８ａ、１３９ａが配置されることにより、前記電磁気波の放出を防止する。
【００５０】
＜実施例２＞
図５は本発明の第２実施例による印刷回路基板ケースを拡大して図示した斜視図であり、図６は本発明の第２実施例によるインバーターケースを拡大して図示した斜視図である。本実施例で延伸された突起を除いた構成要素は前記第１実施例と同一であるので前記実施例１と重複される構成要素に対しては詳細な説明を省略する。印刷回路基板ケース２３８は、実施例１の印刷回路基板ケース１３８に相当する。また、インバーターケース２３９は、実施例１のインバーターケース１３９に相当する。
【００５１】
図１、２乃至図５に示すように、印刷回路基板ケース２３８は第１底面２３８ｂと、前記第１底面２３８ｂのエッジから突出された第１側壁２３８ｃと、記第１側壁２３８ｃにより定義され前記印刷回路基板１７６を収納する第１収納空間２３８ｅとを含む。前記第１側壁２３８ｃは前記第１側壁２３８ｃの端部で前記第１底面２３８ｂと平行な方向に突出された第１延長部２３８ｄを含む。
【００５２】
第１延伸された突起２３８ａは前記第１延長部２３８ｄ上に前記第１側壁２３８ｃと並んで配置され、前記印刷回路基板ケース２３８と前記ボトムシャーシ１３４とを電気的に連結する。前記第１延伸された突起２３８ａの形状は、半球（Ｈｅｍｉｓｐｈｅｒｉｃ）形、ポリピラミッド（Ｐｏｌｙｐｙｒａｍｉｄ）形、円柱（ｃｙｌｉｎｄｒｉｃａｌ）形、多角柱（ｐｏｌｙｐｒｉｓｍ）形などを含む。
【００５３】
前記印刷回路基板１７６から発生された電磁気波は前記印刷回路基板ケース２３８により遮断され、前記電磁気波により前記印刷回路基板ケース２３８内に生成された誘導電流は前記第１エンボシング部材２３８ａ及び前記ボトムシャーシ１３４を通じて接地される。
【００５４】
図１、図２及び図６に示すように、インバーターケース２３９は第２底面２３９ｂ、前記第２底面２３９ｂのエッジから突出された第２側壁２３９ｃ及び前記第２側壁２３９ｃにより定義され前記インバーター１６５を収納する第２収納空間１２３８ｅを含む。前記第２側壁２３９ｃは前記第２側壁２３９ｃの端部で前記第２底面２３９ｂと平行な方向に突出された第２延長部２３９ｄを含む。
【００５５】
前記第２延伸された突起２３９ａは前記第２延長部２３９ｄ上に配置され前記インバーターケース２３９と前記ボトムシャーシ１３４とを電気的に連結する。前記第２エンボシング部材１３９ａは半球（Ｈｅｍｉｓｐｈｅｒｉｃ）形、ポリピラミッド（Ｐｏｌｙｐｙｒａｍｉｄ）形、円柱（ｃｙｌｉｎｄｒｉｃａｌ）形、多角柱（ｐｏｌｙｐｒｉｓｍ）形などを含む。
【００５６】
前記インバーター１６５から発生した電磁気波は前記インバーターケース２３９により遮断され、前記電磁気波により前記インバーターケース２３９内に生成された誘導電流は前記第２延伸された突起２３９ａ及び前記ボトムシャーシ１３４を通じて接地される。
【００５７】
従って、前記印刷回路基板ケース２３８と前記ボトムシャーシ１３４との間及び前記インバーターケース２３９と前記ボトムシャーシ１３４との間に前記延伸された突起２３８ａ、２３９ａが配置されることにより、前記電磁気波の放出を防止する。
【００５８】
＜実験例＞
図７は従来の液晶表示装置で発生される電磁波の発生を測定した結果を示すグラフであり、図８は前記図１に示された本発明の液晶表示装置で発生する電磁波の発生を示すグラフである。従来の液晶表示装置には、本実施例に示す印刷回路基板ケースやインバーターケースに、エンボシングや延伸された突起が設けられていない。その他の構成要素に付いては、前記第１実施例と同一である。
【００５９】
図７及び図８に示すように、横軸は周波数を示し、縦軸は電磁気波の大きさを示すグラフである。グラフ中の１〜１０のポイントは電磁気波の大きさが大きい周波数に対応される。
【００６０】
図７の‘Ａ’部分に示すように、従来の液晶表示装置は７００ＭＨｚ乃至８００ＭＨｚの波長を有する電磁気波を放出する。
【００６１】
図８の‘Ｂ’部分に示すように、本発明の第１実施例による液晶表示装置が放出する７００ＭＨｚ乃至８００ＭＨｚ波長を有する電磁気波の量が前記従来の液晶表示装置が放出する電磁気波に比べて少ない。
【００６２】
表１は前記各ポイントに対応する周波数及び電磁気波の大きさを示す。
【００６３】
【表１】
2004361958.tif 000003
前記表１に示すように、従来の液晶表示装置は８０１、７６６、７８０、７５９及び７１１ＭＨｚの周波数でそれぞれ４０．６１、４０．４５、３９．３、３８．５２、３８．３７ｄＢμＶの大きさを有する電磁気波を放出する。
【００６４】
本発明の第１実施例による液晶表示装置は、７００ＭＨｚ乃至８００ＭＨｚの周波数を有するポイントを有しない。反面、前記従来の液晶表示装置は４つの７００ＭＨｚ乃至８００ＭＨｚの周波数を有するポイントを有する。
【００６５】
従って、前記本発明の第１実施例による液晶表示装置の印刷回路基板ケース及びインバーターケースは液晶表示装置の印刷回路基板及びインバーターから発生した電磁波を遮断する。また、前記エンボシング部材により生成された誘導電流を接地して、液晶表示装置の表示品質を向上させる。
【００６６】
以上、前述した本発明によると、前記印刷回路基板ケースと前記ボトムシャーシとの間または前記インバーターケースと前記ボトムシャーシとの間に前記接地部材を形成して前記印刷回路基板及び前記ボトムシャーシから発生される電磁波を遮断する。
【００６７】
以上、本発明の実施例によって詳細に説明したが、本発明はこれに限定されず本発明が属する技術分野において通常の知識を有するものであれば本発明の思想と精神を離れることなく、本発明を修正または変更できる。
【図面の簡単な説明】
【００６８】
【図１】本発明の第１実施例による液晶表示装置を示す分解斜視図である。
【図２】図１に示された液晶表示装置の背面を示す斜視図である。
【図３】図１に示された印刷回路基板ケースを示す斜視図である。
【図４】図２に示されたインバーターケースを示す斜視図である。
【図５】本発明の第２実施例による印刷回路基板ケースを示す斜視図である。
【図６】本発明の第２実施例によるインバーターケースを示す斜視図である。
【図７】従来の液晶表示装置で発生される電磁波の発生を測定した結果を示すグラフである。
【図８】図１に示された液晶表示装置で発生される電磁波の発生を測定した結果を示すグラフである。
【符号の説明】
【００６９】
１００      液晶表示装置
１１０      前面ケース
１２０      背面ケース
１３０      液晶表示モジュール
１３４      ボトムシャーシ
１３８、２３８      印刷回路基板ケース
１３８ａ    第１エンボシング部材
１３９ａ    第２エンボヂング部材
１３９、２３９      インバーターケース
１４０      トップシャーシ
１５０      バックライトアセンブリ
１５２      導光板
１５４      反射板
１６５      インバーター
１７０      ディスプレーユニット
１７１      液晶表示パネル
１７２      薄膜トランジスタ基板
１７３      カラーフィルター基板
１７４、１７８      テープキャリアパッケージ
１７６      印刷回路基板
１７６ａ      駆動用集積回路
２３８      印刷回路基板ケース
２３９ａ    突起
【図１】
2004361958.tif 000004
【図２】
2004361958.tif 000005
【図３】
2004361958.tif 000006
【図４】
2004361958.tif 000007
【図５】
2004361958.tif 000008
【図６】
2004361958.tif 000009
【図７】
2004361958.tif 000010
【図８】
2004361958.tif 000011